(57)【要約】【課題】未装着時に端子部が外部に露出しない簡単な構成のコネクタを提供すること。【解決手段】コネクタは、押出部材上に形成され、外部との電気的接続を行う端子部と、押出部材を挟んで端子部とは異なる面に設けられた、回転可能なハンドル部と、シャフトを介してハンドル部と連結し、ハンドル部の回転と共に回転する、端子部側に突出した係止部と、一端がハンドル部と連結し、他端が押出部材側に突出した押出部と、押出部と押出部材の間に介在し、押出部の他端が当接する面が押出部材に対して傾斜した傾斜部と、端子部を覆う蓋部と、蓋部と係止部を連結する移動部材とを備える。ハンドル部の回転に伴い係止部及び移動部材を介して蓋部が移動すると、端子部が露出すると共に、回転に伴って押出部が傾斜部を介して押出部材を端子部側に押圧する。【選択図】図５
2015079620.tif 000002
【特許請求の範囲】
【請求項１】
押出部材上に形成され、外部との電気的接続を行う端子部と、
前記押出部材を挟んで前記端子部とは異なる面に設けられた、回転可能なハンドル部と、
シャフトを介して前記ハンドル部と連結し、前記ハンドル部の回転と共に回転する、前記端子部側に突出した係止部と、
一端が前記ハンドル部と連結し、他端が前記押出部材側に突出した押出部と、
前記押出部と前記押出部材の間に介在し、前記押出部の前記他端が当接する面が前記押出部材に対して傾斜した傾斜部と、
前記端子部を覆う蓋部と、
前記蓋部と前記係止部を連結する移動部材と、を備え、
前記ハンドル部の回転に伴い前記係止部及び前記移動部材を介して前記蓋部が移動すると、前記端子部が露出すると共に、前記回転に伴って前記押出部が前記傾斜部を介して前記押出部材を前記端子部側に押圧するコネクタ。
【請求項２】
前記端子部は複数の端子を含み、
前記蓋部は、少なくとも２つの前記端子を覆う請求項１に記載のコネクタ。
【請求項３】
前記端子部は複数の端子を含み、
前記蓋部は、１つの前記端子を覆う蓋を複数含む請求項１に記載のコネクタ。
【請求項４】
前記蓋部の裏側に、前記端子部が露出するたびに前記端子部に付いた塵挨を除去する掃除部材を備えた請求項１〜３のいずれか１項に記載のコネクタ。
【請求項５】
請求項１から４のいずれか１項に記載のコネクタを有する超音波探触子。
【請求項６】
請求項５に記載の超音波探触子及び前記超音波探触子と接続する装置本体から成る超音波診断装置であって、
前記装置本体は、
前記超音波探触子のコネクタが備える端子部と電気的接続を行う端子部と、
前記超音波探触子のコネクタが備える係止部と嵌合する係合部と、を備え、
前記超音波探触子のコネクタが備えるハンドル部の回転に伴って、前記係止部と前記係合部が嵌合したまま固定される超音波診断装置。
【請求項７】
超音波探触子の第１の端子部が装置本体の第２の端子部と電気的に接続する超音波診断装置であって、
前記超音波探触子は、
前記第１の端子部の側面を覆い、押圧されることで前記第１の端子部を露出させる第１の周囲部材と、
前記第１の周囲部材を保持する弾性体と、を備え、
前記装置本体は、
前記第２の端子部の表面を覆い、押圧されることで前記第２の端子部を露出させる蓋部と、
前記蓋部の周囲を覆う第２の周囲部材と、を備え、
前記第１の端子部を前記第２の端子部に接続する際、前記第２の周囲部材が前記第１の周囲部材を押圧して前記第１の端子部を露出させ、前記第１の端子部が前記蓋部を押圧して前記第２の端子部を露出させて前記第１の端子部と前記第２の端子部が接触する超音波診断装置。
【請求項８】
前記第２の端子部は複数の端子を含み、
前記蓋部は、前記第２の端子部の少なくとも２つの前記端子を覆う請求項７に記載の超音波診断装置。
【請求項９】
前記第２の端子部は複数の端子を含み、
前記蓋部は、前記第２の端子部の１つの前記端子を覆う蓋を複数含む請求項７に記載の超音波診断装置。
【発明の詳細な説明】
【技術分野】
【０００１】
本発明は、電気的な接続を行う構造のコネクタ、当該コネクタを有する超音波探触子及び超音波診断装置に関する。
【背景技術】
【０００２】
各種機器において部品同士の電気的な接続を行うためのコネクタは、例えば超音波診断装置にも使用され、装置本体と超音波探触子を電気的に接続する。従来の超音波診断装置では、超音波探触子を装着するための装置本体のコネクタ部にコネクタカバーを装着することで、コネクタ部にほこりが付着したり、未使用時にコネクタ部の接続ピンやランドなどの端子が破損することを防止している。
【０００３】
コネクタ部にコネクタカバーを装着する超音波診断装置の一例を図１９に示す。図１９に示す例では、超音波診断装置本体１００のコネクタ部にコネクタカバー１０１が設けられる。コネクタカバー１０１は磁気センサにより開閉される。超音波探触子１０２のコネクタ部はマグネット１０３を備え、超音波診断装置本体１００のコネクタ部は磁気センサ１０４を備える。超音波探触子１０２が超音波診断装置本体１００に近づけられると、マグネット１０３の磁力を磁気センサ１０４が検知する。当該検知に応じて、駆動コントローラ１０５は、開閉機構１０６がコネクタカバー１０１を上方に引き上げるよう制御する。その結果、超音波診断装置本体１００のコネクタ部が露出する（特許文献１参照）。
【先行技術文献】
【特許文献】
【０００４】
【特許文献１】特開２００９−０００４２６号公報
【発明の概要】
【発明が解決しようとする課題】
【０００５】
上述の図１９に示した超音波診断装置は、装置本体１００のコネクタ部にコネクタカバー１０１を設けたことに伴い、磁気センサ１０４、駆動コントローラ１０５及び開閉機構１０６を備え、かつ、これらの構成要素に電力を供給する電源をも要するため、装置本体を小型化できない。
【０００６】
本発明の目的は、未装着時に端子部が外部に露出しない簡単な構成のコネクタ、当該コネクタを有する超音波探触子及び超音波診断装置を提供することである。
【課題を解決するための手段】
【０００７】
本発明は、押出部材上に形成され、外部との電気的接続を行う端子部と、前記押出部材を挟んで前記端子部とは異なる面に設けられた、回転可能なハンドル部と、シャフトを介して前記ハンドル部と連結し、前記ハンドル部の回転と共に回転する、前記端子部側に突出した係止部と、一端が前記ハンドル部と連結し、他端が前記押出部材側に突出した押出部と、前記押出部と前記押出部材の間に介在し、前記押出部の前記他端が当接する面が前記押出部材に対して傾斜した傾斜部と、前記端子部を覆う蓋部と、前記蓋部と前記係止部を連結する移動部材と、を備え、前記ハンドル部の回転に伴い前記係止部及び前記移動部材を介して前記蓋部が移動すると、前記端子部が露出すると共に、前記回転に伴って前記押出部が前記傾斜部を介して前記押出部材を前記端子部側に押圧するコネクタを提供する。
【発明の効果】
【０００８】
本発明によれば、未装着時にコネクタ部が外部に露出しない簡単な構成のコネクタ、当該コネクタを有する超音波探触子及び超音波診断装置を提供することができる。
【図面の簡単な説明】
【０００９】
【図１】（ａ）〜（ｃ）は、実施の形態１の超音波探触子のコネクタ部１がUNLOCKの状態を示す図
【図２】（ａ）〜（ｃ）は、実施の形態１の超音波探触子のコネクタ部１がLOCKの状態を示す図
【図３】（ａ），（ｂ）は、UNLOCK状態からLOCK状態に推移した実施の形態１の超音波探触子のコネクタ部１を示す図
【図４】（ａ），（ｂ）は、UNLOCK状態からLOCK状態に推移した実施の形態１の超音波探触子のコネクタ部１における移動部材４１の一例を示す図
【図５】UNLOCK状態からLOCK状態に推移中の実施の形態１の超音波探触子のコネクタ部１の図１（ａ）に示したＶ−Ｖ線断面図
【図６】（ａ）は傾斜部５５をシャフトの軸方向にハンドル４側から見た図、（ｂ）は傾斜部５５の斜視図
【図７】（ａ）はUNLOCK状態のとき押出棒５１の端部が傾斜部５５の傾斜面と接触する箇所を示す図、（ｂ）はLOCK状態のとき押出棒５１の端部が傾斜部５５の傾斜面と接触する箇所を示す図
【図８】（ａ）〜（ｃ）は、UNLOCK状態からLOCK状態に推移した実施の形態１の超音波探触子のコネクタ部１における移動部材４１の他の例を示す図
【図９】実施の形態１の超音波診断装置の装置本体６１におけるコネクタ部６２を示す図
【図１０】装置本体６１のコネクタ部６２のみを正面から見た平面図であり、コネクタ部６２の蓋７２が閉じた状態を示す図
【図１１】装置本体６１のコネクタ部６２のみを正面から見た平面図であり、コネクタ部６２の蓋７２が開いた状態を示す図
【図１２】装置本体６１のコネクタ部６２の蓋７２が開いた他の状態を示す図
【図１３】観音開きで開閉する蓋７２がコネクタ部１の接続ピン２１に押されて開く様子を示す図
【図１４】片側が開閉する蓋７２がコネクタ部１の接続ピン２１に押されて開く様子を示す図
【図１５】超音波探触子のコネクタ部１の蓋２の裏側に掃除部材１４１が設けられた状態を示す図
【図１６】装置本体のコネクタ部６２の蓋７２の裏側に掃除部材１４１が設けられた状態を示す図
【図１７】UNLOCK状態からLOCK状態に推移中の実施の形態２の超音波探触子のコネクタ部１ａにおいて接続ピン２１が突出する様子を示す断面図
【図１８】超音波探触子のコネクタ部１ａが装置本体のコネクタ部６２に装着される際の様子を示す断面図
【図１９】従来の超音波診断装置の構成を示すブロック図
【発明を実施するための形態】
【００１０】
以下、本発明に係る超音波診断装置の実施の形態について、図面を参照して詳細に説明する。
【００１１】
なお、超音波診断装置の本体（以下「装置本体」という）及びこの装置本体に装着される超音波探触子は、互いに電気的な接続を行うためのコネクタ部をそれぞれ備える。また、超音波探触子のコネクタ部には、装置本体のコネクタ部との係止をユーザが操作するためのハンドルが設けられている。以下の説明では、コネクタ部の接続状態に関係なく、超音波探触子のコネクタ部のハンドルが、仮に超音波探触子のコネクタ部と装置本体のコネクタ部が接続された場合に超音波探触子のコネクタ部と装置本体のコネクタ部が係止状態となる位置にされた状態を「LOCK」状態といい、係止状態とならない位置にされた状態を「UNLOCK」状態という。
【００１２】
（実施の形態１）
図１（ａ）〜（ｃ）は、実施の形態１の超音波探触子のコネクタ部１がUNLOCKの状態を示す図である。また、図２（ａ）〜（ｃ）は、実施の形態１の超音波探触子のコネクタ部１がLOCKの状態を示す図である。また、図３（ａ）及び図３（ｂ）は、UNLOCK状態からLOCK状態に推移した実施の形態１の超音波探触子のコネクタ部１を示す図である。図４（ａ）及び図４（ｂ）は、UNLOCK状態からLOCK状態に推移した実施の形態１の超音波探触子のコネクタ部１における移動部材４１の一例を示す図である。図５は、UNLOCK状態からLOCK状態に推移中の実施の形態１の超音波探触子のコネクタ部１の図１（ａ）に示したＶ−Ｖ線断面図である。なお、図１（ａ）、図２（ａ）、図３（ａ）及び図４（ａ）はコネクタ部１の正面図であり、図１（ｂ）、図２（ｂ）、図３（ｂ）及び図４（ｂ）はコネクタ部１の側面図であり、図１（ｃ）及び図２（ｃ）はコネクタ部１の斜視図である。
【００１３】
図１（ｃ）及び図２（ｃ）等に示すように、コネクタ部１は、外部との電気的接続を行う複数の接続ピン２１と、接続ピン２１を覆う蓋２と、接続ピン２１とは異なる面に突出した回転可能なハンドル４と、図１（ｂ）に点線で示すシャフトを介してハンドル４と連結し、接続ピン２１側に突出した係止部５とを備える。また、コネクタ部１は、接続ピン２１が露出する面側のカバーとして基板固定部材６を有する。基板固定部材６には、超音波探触子のコネクタ部１と装置本体のコネクタ部が接続する際のガイドの役割を果たすGNDピン穴３が設けられている。
【００１４】
また、図５に示すように、コネクタ部１の内部には、複数の接続ピン２１が形成された接続ピン基板５３と、接続ピン基板５３に平行した板状の押出部材５２と、押出部材５２に対して基板固定部材６とは反対側の張力をかけるバネ５４と、一端がハンドル４に連結した押出棒５１と、押出部材５２の基板固定部材６とは反対側に設けられ、押出棒５１の端部と接触する傾斜部５５とが設けられている。また、図４（ａ）に示すように、蓋２と係止部５を連結する移動部材４１とが設けられている。
【００１５】
図１（ａ）〜（ｃ）に示すように、UNLOCK状態の超音波探触子のコネクタ部１では、コネクタ部１の接続ピン２１に蓋２で覆われている。このとき、図３（ｂ）及び図４（ｂ）に示すようにユーザがハンドル４を時計回りに回すと、当該回転に連動して図３（ａ）及び図４（ａ）に示すように係止部５も回転する。図４（ａ）に示すように、係止部５は回転方向から見た際の形状が楕円形であり、係止部５の長軸方向の各両端には、針金のような部材から構成された移動部材４１の一端がそれぞれ接続されている。また、各移動部材４１の他端は蓋２に連結されている。このため、ハンドル４の回転による係止部５の回転に伴い、蓋２は移動部材４１に引っ張られてハンドル４の回転方向にスライドする。こうして、UNLOCK状態の超音波探触子のコネクタ部１では、コネクタ部１の接続ピン２１が露出する。
【００１６】
また、上記ハンドル４の回転に伴い、図５に示すように、一端がハンドル４に連結した押出棒５１の他端部は、傾斜部５５を介して押出部材５２を基板固定部材６側に押圧する。このため、傾斜部５５は、ハンドル４と係止部５を繋ぐシャフトが中心を貫通し、押出棒５１の他端部が当接する面が押出部材５２に対して傾斜した傾斜面を有する。すなわち、傾斜部５５のシャフト方向の断面は三角形である。図６（ａ）は、傾斜部５５をシャフトの軸方向にハンドル４側から見た図である。また、図６（ｂ）は、傾斜部５５の斜視図である。押出棒５１の端部は、ハンドル４の回転にかかわらず、常に傾斜部５５の傾斜面と接触する。なお、傾斜部５５の底部は、押出部材５２と接合する。
【００１７】
図５に示すUNLOCK状態では、押出棒５１の端部が、傾斜部５５の傾斜面における下端部（押出部材５２に近い箇所）に接触し、ハンドル４が回されUNLOCK状態になると、押出棒５１の端部は、傾斜部５５の傾斜面における上端部（押出部材５２から離れた箇所）に接触する。図７（ａ）は、UNLOCK状態のとき押出棒５１の端部が傾斜部５５の傾斜面と接触する箇所を示す図である。また、図７（ｂ）は、LOCK状態のとき押出棒５１の端部が傾斜部５５の傾斜面と接触する箇所を示す図である。押出部材５２はバネ５４の力によりハンドル４側に張力がかけられているが、ハンドル４が回されると押出棒５１の端部が傾斜部５５の傾斜面の上端部へと移動するため、結果として、押出部材５２が基板固定部材６側に押圧される。したがって、接続ピン基板５３が全体的に基板固定部材６側に押し出される。このとき、上記説明したように蓋２はスライドするため、接続ピン基板５３に形成された複数の接続ピン２１はコネクタ部１の内部から突出する。
【００１８】
なお、接続ピン２１の突出具合が場所によって異なってしまうと接触不良を引き起こしてしまう原因となる。このため、本実施の形態では、接続ピン基板５３に形成された接続ピン２１が全て均等に突出するよう、接続ピン基板５３の全面に押出部材５２が接合する。
【００１９】
また、蓋２は、各接続ピンをそれぞれ覆うものに限らず、複数の接続ピン又は接続ピン全体を覆うものであっても良い。図８（ａ）〜（ｃ）は、UNLOCK状態からLOCK状態に推移した実施の形態１の超音波探触子のコネクタ部１における移動部材４１の他の例を示す図である。図８（ａ）〜（ｃ）に示した例は、蓋２ａが複数の接続ピン２１を覆う形態を示す。図８（ａ）は、蓋２ａが複数の接続ピン２１を覆っている状態を示し、図８（ｂ）は、ハンドル４の回転による係止部５の回転に伴い、蓋２が移動部材４１ａに引っ張られて上下方向にシフトして、接続ピン２１が露出した状態を示す。
【００２０】
図９は、実施の形態１の超音波診断装置の装置本体６１におけるコネクタ部６２を示す図である。また、図１０及び図１１は、装置本体６１のコネクタ部６２のみを正面から見た平面図である。なお、図１０は、コネクタ部６２の蓋７２が閉じた状態を示し、図１１は、蓋７２が開いた状態を示す。
【００２１】
図１０及び図１１に示すように、コネクタ部６２は、超音波探触子のコネクタ部１の接続ピン２１と接触するランド８１と、ランド８１を覆う蓋７２と、GNDピン７１とを備える。GNDピン７１は、超音波探触子のコネクタ部１がコネクタ部６２に接続される際、接続ピン２１とランド８１の接触よりも先に、超音波探触子のコネクタ部１のGNDピン穴３に挿入される。超音波探触子のコネクタ部１と装置本体のコネクタ部６２が接続する際、蓋７２は、超音波探触子のコネクタ部１の接続ピン２１によって押されることで開いた状態になる。また、接続ピン２１がコネクタ部１内に引っ込むと同時に、蓋７２は元の閉じた状態に戻る。装置本体のコネクタ部６２における蓋７２の開き方は、観音開きでも、１枚の蓋が片側に開く構造でも良い。図１３は、観音開きで開閉する蓋７２がコネクタ部１の接続ピン２１に押されて開く様子を示す図である。接続ピン２１に押されることによって開いた蓋７２は接続ピン２１を両側から固定する役割を果たす。図１４は、片側が開閉する蓋７２がコネクタ部１の接続ピン２１に押されて開く様子を示す図である。接続ピン２１に押されることによって開いた蓋７２は接続ピン２１を片側から固定する役割を果たす。
【００２２】
なお、コネクタ部６２は、図１２に示すように、超音波探触子のコネクタ部１の係止部５と嵌合する凹状の係合部７３と、係合部７３と蓋７２を連結して、コネクタ部１の移動部材４１と同様に蓋７２の開閉のために機能する移動部材８３とをさらに備えても良い。係合部７３と移動部材８３を備えたコネクタ部６２に超音波探触子のコネクタ部１が割り当てられ、超音波探触子のコネクタ部１のハンドル４が回転されると、当該回転に連動して係合部７３も回転する。係合部７３の回転に伴い、蓋７２が移動部材８３に引っ張られてハンドル４の回転方向にスライドことで蓋７２が開く構造としても良い。
【００２３】
また、蓋７２は、各ランドをそれぞれ覆うものに限らず、複数のランド又はランド全体を覆うものであっても良い。
【００２４】
以上説明したように、実施の形態１では、超音波探触子のコネクタ部１には未装着（UNLOCK状態）時に接続ピン２１を覆う蓋２が設けられ、装置本体のコネクタ部６２には未装着時にランド８１を覆う蓋７２が設けられている。このため、接続ピン２１及びランド８１は、ほこりの付着や誤接触による破損等から保護される。その結果、コネクタ部１，６２の破損又は故障が減少し、超音波診断装置の超音波探触子及び装置本体の故障又は修理の件数減少につながる。また、各コネクタ部１，６２は、蓋２，７２の開閉に電動部品を用いないため構成を簡素化できる。その結果、コネクタ部１，６２の小型化を実現できる。
【００２５】
なお、蓋２，７２は、コネクタ部１のハンドル４と逆方向にスライドしても良い。
【００２６】
本実施の形態では、超音波探触子のコネクタ部１が接続ピン２１を有し、装置本体のコネクタ部６２がランド８１を有するが、超音波探触子のコネクタ部１がランド、装置本体のコネクタ部６２が接続ピンを有した構成であっても同様の効果が期待できる。
【００２７】
さらに、超音波探触子のコネクタ部１の蓋２の裏側及び装置本体のコネクタ部６２の蓋７２の裏側には、接続ピン２１のためのブラシ等の掃除部材１４１が取り付けられても良い。図１５は、超音波探触子のコネクタ部１の蓋２の裏側に掃除部材１４１が設けられた状態を示す図である。また、図１６は、装置本体のコネクタ部６２の蓋７２の裏側に掃除部材１４１が設けられた状態を示す図である。当該構成によれば、コネクタ部１の接続ピン２１が突出するたびに、接続ピン２１に付いたゴミ等を掃除部材１４１によって除去される。また、蓋２，７２が開いたときの異物等の混入も掃除部材１４１によって防止される。したがって、各コネクタ部の接続時における信頼性が増す。
【００２８】
（実施の形態２）
図１７は、UNLOCK状態からLOCK状態に推移中の実施の形態２の超音波探触子のコネクタ部１ａにおいて接続ピン２１が突出する様子を示す断面図である。図１７において、図５と共通する構成要素には同じ参照符号が付されている。本実施の形態の超音波探触子のコネクタ部１ａでは、接続ピン２１の周りに構成された周囲部材１２１が押されると、周囲部材１２１に覆われていた接続ピン２１が突出する。なお、周囲部材１２１は、接続ピン２１が突出する部分に、押されると開く蓋を有する。周囲部材１２１に対する押圧力がなくなると、バネ１２２の復元力によって周囲部材１２１が元の位置に戻り、接続ピン２１は周囲部材１２１によって覆われる。
【００２９】
図１８は、超音波探触子のコネクタ部１ａが装置本体のコネクタ部６２に装着される際の様子を示す断面図である。図１８に示すように、超音波探触子のコネクタ部１ａが装置本体のコネクタ部６２に押さえつけられると、コネクタ部１ａの周囲部材１２１が押されて接続ピン２１が突出し、コネクタ部１ａの係止部５がコネクタ部６２の係合部７３に嵌合する。このとき、突出した接続ピン２１によってコネクタ部６２の蓋７２が押し開かれ、接続ピン２１がランド８１と接触する。この状態でコネクタ部１ａのハンドル４が回転されると、係止部５がコネクタ部６２の係合部７３と嵌合したまま回転して、コネクタ部１ａとコネクタ部６２が固定した状態で係合する。
【００３０】
なお、超音波探触子のコネクタ部１ａだけではなく、装置本体のコネクタ部６２が押されることでランド８１が内部より押し出され露出する構造であっても良い。また、実施の形態２において、超音波探触子のコネクタ部１ａと装置本体のコネクタ部６２の接続ピン２１とランド８１の関係を逆にしても同様の効果が期待できる。
【００３１】
以上説明したように、実施の形態２の超音波探触子のコネクタ部１ａは、周囲部材１２１を押すことで接続ピン２１が突出する構造である。このため、接続ピン２１は、ほこりの付着や誤接触による破損等から保護される。その結果、コネクタ部１ａの破損又は故障が減少し、超音波診断装置の超音波探触子の故障又は修理の件数減少につながる。また、コネクタ部１ａは、蓋２，７２の開閉に電動部品を用いないため構成を簡素化できる。その結果、コネクタ部１ａの小型化を実現できる。
【００３２】
なお、超音波探触子のコネクタ部１ａの周囲部材１２１が有する蓋は、各接続ピンをそれぞれ覆うものに限らず、複数の接続ピン又は接続ピン全体を覆うものであっても良い。また、周囲部材１２１には蓋がなくても同様の効果が期待できる。
【産業上の利用可能性】
【００３３】
本発明に係る超音波診断装置は、超音波探触子及び装置本体の両コネクタ部に蓋をつけることで、ほこりやごみ、誤接触等から接続ピン又はランドを保護することが可能な超音波診断装置等として有用である。
【符号の説明】
【００３４】
１，１ａ  超音波探触子のコネクタ部
２，２ａ  蓋
３  GNDピン穴
４  ハンドル
５  係止部
６  基板固定部材
２１  接続ピン
４１，４１ａ  移動部材
５１  押出棒
５２  押出部材
５３  接続ピン基板
５４  バネ
５５  傾斜部
６１  装置本体
６２  装置本体のコネクタ部
７１  GNDピン
７２  蓋
７３  係合部
８１  ランド
８３  移動部材
１２１  周囲部材
１２２  バネ
１４１  掃除部材
【図１】
2015079620.tif 000003
【図２】
2015079620.tif 000004
【図３】
2015079620.tif 000005
【図４】
2015079620.tif 000006
【図５】
2015079620.tif 000007
【図６】
2015079620.tif 000008
【図７】
2015079620.tif 000009
【図８】
2015079620.tif 000010
【図９】
2015079620.tif 000011
【図１０】
2015079620.tif 000012
【図１１】
2015079620.tif 000013
【図１２】
2015079620.tif 000014
【図１３】
2015079620.tif 000015
【図１４】
2015079620.tif 000016
【図１５】
2015079620.tif 000017
【図１６】
2015079620.tif 000018
【図１７】
2015079620.tif 000019
【図１８】
2015079620.tif 000020
【図１９】
2015079620.tif 000021